【事件の表示】
　特願２００４−２３９８７３「ウェブクライアントの初期ホームページ変更方法及びそのシステム」拒絶査定不服審判事件〔平成１８年　３月　２日出願公開、特開２００６−　５９１１２〕について、次のとおり審決する。
【結　論】
　本件審判の請求は、成り立たない。
【理　由】
第１　手続の経緯 
　本願は，平成１６年８月１９日の出願であって，平成１９年１月５日付けの拒絶理由通知に対して，同年１９年７月１１日に意見書と手続補正書が提出され，これに対して同年８月６日付けで拒絶査定がなされたところ，同年１１月１２日に拒絶査定に対する審判が請求されるとともに，同年１２月１１日に手続補正書が提出され、平成２２年２月３日付けの審尋に対して、同年５月１０日付けで回答書が提出されたものである。 
 　 
 第２　平成１９年１２月１１日付け手続補正についての補正却下の決定
［補正却下の決定の結論］
　　平成１９年１２月１１日付け手続補正を却下する。
　
［理由］
１　本件補正の内容
　平成１９年１２月１１日付け手続補正（以下、「本件補正」という。）は、特許請求の範囲についてする補正であって、本件補正後の請求項１，４、５、１７、２０、２６は、本件補正前の請求項１，４、５、１７、２０、２６に基づくものであり、請求項１は次のように補正された。なお下線は，補正された部分を示すものとして，手続補正書に付されたものを援用したものである。 
　
　「【請求項１】
　ウェブブラウザー及び構成情報データベースを有するウェブクライアントの前記構成情報データベースの内容を変更する方法において、
  前記ウェブブラウザーを介したウェブクライアントの接続時、第１ウェブサーバが応答する第１段階と、
  前記第１ウェブサーバが前記接続されたウェブクライアントに、
入力されたＵＲＬに該当する
  前記ウェブクライアントの使用者が前記選択ボタンを選択すると、前記ウェブクライアントに伝送された前記ウェブサーバのホームページが前記ウェブクライアントの初期ホームページとして設定されることを特徴とするウェブクライアントの初期ホームページ変更方法。」
　
２　補正の根拠についての審判請求人の主張の概要
　本願請求項１に関する補正の根拠について、審判請求人の主張の概要は、平成２０年１月１７日付け手続補正書により補正された平成１９年１１月１２日付け審判請求書の記載からみて以下のとおりである。
　
　「請求項１、４、５、１７、２０及び２６の「
入力されたＵＲＬに該当する
　
３　明細書等記載事項について
　審判請求人が補正の根拠としている明細書段落［００２５］には、以下の事項が記載されている。
　
　「【００２５】
　本発明の実施例１による初期ホームページ変更方法を図１ないし図４ａ、図４ｂに基づいて詳細に説明する。
　まず、使用者が、ウェブクライアント２０のウェブブラウザー２１を介して、本発明の実施例によるウェブサーバ１０に接続する（Ｓ１）。すなわち、使用者が、ウェブクライアント２０のウェブブラウザー２１を介して、前記ウェブサーバ１０に対応するＵＲＬを入力すると、ウェブブラウザー２１がこのＵＲＬからＩＰ（Internet　protocol）住所を捜し出した後、ＨＴＴＰ（Hyper　Text　Transport　Protocol）を介して、前記ＩＰ住所に対応する前記ウェブサーバ１０にＵＲＬリソースを要請する（Ｓ１）。この際、使用者は、ウェブブラウザー上でＵＲＬを直接入力するか、又はハイパーリンクされている単語によりＵＲＬを選択することにより、ＵＲＬを入力する。ここで、ＵＲＬは、インターネット上の無数の情報又は資料の位置をプロトコールとともに統一的に表現するための標準位置表現方法を言う。」
　
４　新規事項の追加についての判断
　審判請求人が補正の根拠としている明細書段落［００２５］には、「使用者が、ウェブクライアント２０のウェブブラウザー２１を介して、前記ウェブサーバ１０に対応するＵＲＬを入力すると、ウェブブラウザー２１がこのＵＲＬからＩＰ（Internet　protocol）住所を捜し出した後、ＨＴＴＰ（Hyper　Text　Transport　Protocol）を介して、前記ＩＰ住所に対応する前記ウェブサーバ１０にＵＲＬリソースを要請する（Ｓ１）。」と記載されている。
　そうすると、使用者によって「入力されたＵＲＬ」は、ＵＲＬリソースの要請先となるウェブサーバ１０のＩＰ住所に対応していることが理解できるから、「入力されたＵＲＬ」はウェブサーバ１０に該当するものであって、特定ウェブサーバに該当するということはできない。
　
　そうすると、請求項１において補正された「前記第１ウェブサーバが前記接続されたウェブクライアントに、
入力されたＵＲＬに該当する
　
　したがって、本件補正は、明細書又は図面のすべての記載を総合することにより導かれる技術的事項との関係において、新たな技術的事項を導入するものであって、願書に最初に添付した明細書、特許請求の範囲又は図面に記載した事項の範囲内においてしたものということはできない。
　
５　まとめ
　以上のとおり、本件補正は、平成１８年法律第５５号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
第３　本願発明について
　
１　本願発明
　平成１９年１２月１１日付けの手続補正は上記のとおり却下されたので、本願の請求項１乃至請求項３３に係る発明は、平成１９年７月１１日付け手続補正書に記載されたとおりのものであるところ、請求項１に係る発明（以下、「本願発明」という。）は、次のとおりである。
　
　「【請求項１】
　ウェブブラウザー及び構成情報データベースを有するウェブクライアントの前記構成情報データベースの内容を変更する方法において、
　前記ウェブブラウザーを介したウェブクライアントの接続時、第１ウェブサーバが応答する第１段階と、
　前記第１ウェブサーバが前記接続されたウェブクライアントに特定ウェブサーバのテキスト情報及びマルチメディア情報の少なくとも１つとともに、使用者の要望があれば前記ウェブサーバのホームページを初期ホームページとして設定するための選択ボタンを含むホームページ情報を伝送する第２段階とを含み、
　前記ウェブクライアントの使用者が前記選択ボタンを選択すると、前記ウェブクライアントに伝送された前記ウェブサーバのホームページが前記ウェブクライアントの初期ホームページとして設定されることを特徴とするウェブクライアントの初期ホームページ変更方法。」
　
２　引用例について
引用例１　rhyme 他, ハッカーが利用する悪の手口を全公開, 
　　　　　ネットランナー, 第5巻，第1号, 2003年1月, p.56〜67
　
　原査定において引用された引用例１には，図面とともに，次の事項が記載されている。
　
（イ）「そのほかのホームページ設定変更の手口
　ホームページの設定の変更を促してくるサイトは予想以上に多い。ＡｃｔｉｖｅＸやＪａｖａＳｃｒｉｐｔによってダウンロードの確認画面を表示し、「はい」をクリックすると一気に悪質なソフトをインストールするサイトが中心だが、ユーザーに手動でファイルをダウンロードさせ、ダブルクリックして実行させるサイトもある。」（６０ページ第４段）
　
（ロ）引用例１の６０ページ左下には、「そのほかのホームページ設定変更の手口」というタイトルの記事の中に、「Ｊｏｈｎ」と読める文字を含む大きい画面と、「はい」、「いいえ」と読めるボタンを含む小さい画面からなる図面が掲載されており、当該図面の左隣には、「無料ウェブスペースＳｐａｃｅｐｏｒｔｓ．ｃｏｍ（http://www.spaceports.com/）で開設されているサイトをブラウザで開くと毎回わけの分からないＵＲＬをホームページにするように勧めてくる。」と記載されている。
　
（ハ）「ホームページがハッキングされる
　悪質な有料サイトによる被害はブロードバンドの普及以前から多い。多額の国際電話やダイヤルＱ２料金を請求されたり、ブラウザのホームページ（スタートページ）を勝手にアダルトサイトなどに変えられてしまったという話もよく聞かれる。
　このような被害が起こるのは、ページ内に悪意のあるＡｃｔｉｖｅＸやＪａｖａＳｃｒｉｐｔのコードが含まれており、パソコンにウイルスまがいのソフトがインストールされるからだ。このようなソフトは削除できず、ＩＥの設定を直してもしばらくすると元に戻されるなど、復旧が困難なことが多い。」（６０ページ第１段〜第２段）
　
（ニ）上記摘記事項（ハ）における「ブラウザのホームページ（スタートページ）を勝手にアダルトサイトなどに変えられてしまったという話」との記載、及び、「このような被害が起こるのは、・・・パソコンにウイルスまがいのソフトがインストールされるからだ。このようなソフトは削除できず、ＩＥの設定を直してもしばらくすると元に戻される。」との記載から、引用例１に記載されているパソコンは、ブラウザ、及び、ブラウザのホームページ（スタートページ）の情報を含む「ＩＥの設定」を有することは、記載されているに等しい事項である。
　
　そうすると、引用例１の上記摘記事項（ロ）と（ニ）から，引用例１には，次の発明（以下，「引用発明」という。）が記載されていると認められる。
　
　「ブラウザ及びＩＥ設定を有するパソコンのホームページ設定を変更する方法において、
　無料ウェブスペースＳｐａｃｅｐｏｒｔｓ．ｃｏｍで開設されているサイトをブラウザで開くステップと、
　パソコン上に「はい」、「いいえ」と読めるボタンを含む小さい画面を表示するステップとを含み、
　上記サイトをブラウザで開くと毎回わけの分からないホームページを勧めることを特徴とする方法。」
　
３　対比
　本願発明と引用発明とを対比する。
　
　引用発明における「ブラウザ及びＩＥ設定を有するパソコンのホームページ設定を変更する方法」との事項について、本願発明と対比する。
　本願発明における「ウェブブラウザー」は、「エクスプローラ（Ｅｘｐｌｏｒｅｒ）又はネットスケープ（Ｎｅｔｓｃａｐｅ）など」が想定されていることから（明細書段落［０００２］参照）、引用発明における「ブラウザ」は、本願発明における「ウェブブラウザ」に相当している。
　本願発明における「構成情報データベース」は、「ウェブブラウザー２１の初期ホームページ情報を含む各種の情報が記憶されている」データベースと解することができ（明細書段落［００２３］参照、）、一方、引用発明における「ＩＥの設定」はブラウザのホームページ（スタートページ）の情報を含んでいるから（上記摘記事項（ニ）参照）、引用発明における「ＩＥの設定」は、本願発明における「構成情報データベース」に相当している。
　本願発明における「ウェブクライアント」は、「ウェブブラウザー２１と構成情報データベース２２を有する」ことから（明細書段落［００２３］参照）、引用発明における「パソコン」は、本願発明における「ウェブクライアント」に相当している。
　引用発明における「ホームページの設定を変更する」ことは、本願発明における「ウェブクライアントの前記構成情報データベースの内容を変更する」ことに相当している。
　そうすると、引用発明における「ブラウザ及びＩＥ設定を有するパソコンのホームページ設定を変更する方法」は、本願発明における「ウェブブラウザー及び構成情報データベースを有するウェブクライアントの前記構成情報データベースの内容を変更する方法」に相当している。
　
　引用発明における「無料ウェブスペースＳｐａｃｅｐｏｒｔｓ．ｃｏｍ（http://www.spaceports.com/）で開設されているサイトをブラウザで開くステップ」との事項は、ブラウザを介したパソコンの接続時、「無料ウェブスペースＳｐａｃｅｐｏｒｔｓ．ｃｏｍ（http://www.spaceports.com/）で開設されているサイト」を提供するサーバが応答し、パソコンに対して「無料ウェブスペースＳｐａｃｅｐｏｒｔｓ．ｃｏｍ（http://www.spaceports.com/）で開設されているサイト」のホームページ情報を伝送することを含んでいる。
　また、引用発明における「無料ウェブスペースＳｐａｃｅｐｏｒｔｓ．ｃｏｍ（http://www.spaceports.com/）で開設されているサイト」を提供するサーバは本願発明における「第１ウェブサーバ」に相当しており、「無料ウェブスペースＳｐａｃｅｐｏｒｔｓ．ｃｏｍで開設されているサイト」のホームページ情報は本願発明における「ホームページ情報」に相当している。
　そうすると、引用発明と本願発明とは、本願発明における「前記ウェブブラウザーを介したウェブクライアントの接続時、第１ウェブサーバが応答する第１段階」と「第１ウェブサーバが前記接続されたウェブクライアントにホームページ情報を伝送する第２段階」を含んでいる点で共通している。
　
　引用発明における小さい画面に含まれる「「はい」、「いいえ」と読めるボタン」は、摘記事項（イ）の「ＡｃｔｉｖｅＸやＪａｖａＳｃｒｉｐｔによってダウンロードの確認画面を表示し、「はい」をクリックすると一気に悪質なソフトをインストールする」との記載も参酌すると、本願発明における「使用者の要望があればウェブサーバのホームページを初期ホームページとして設定するための選択ボタン」に相当している。
　
　引用発明における「わけの分からないホームページを勧める」という事項は、使用者が「はい」のボタンを選択すると、わけの分からないＵＲＬをホームページとして設定することを意味しているから、引用発明の上記事項は、本願発明における「前記ウェブクライアントの使用者が前記選択ボタンを選択すると、ウェブサーバのホームページが前記ウェブクライアントの初期ホームページとして設定される」という事項に相当している。
　
　以上によれば、本願発明と引用発明の一致点と相違点は、次のとおりと認められる。
　
（１）一致点
　「ウェブブラウザー及び構成情報データベースを有するウェブクライアントの前記構成情報データベースの内容を変更する方法において、
　前記ウェブブラウザーを介したウェブクライアントの接続時、第１ウェブサーバが応答する第１段階と、
　前記第１ウェブサーバが接続されたウェブクライアントにホームページ情報を伝送する第２段階とを含み、
　前記ウェブクライアントの使用者が選択ボタンを選択すると、ウェブサーバのホームページが前記ウェブクライアントの初期ホームページとして設定されることを特徴とするウェブクライアントの初期ホームページ変更方法。」
　
（２）相違点
　
［相違点１］
　本願発明では、第１ウェブサーバが前記接続されたウェブクライアントに、「特定ウェブサーバのテキスト情報及びマルチメディア情報の少なくとも１つを含む」ホームページ情報を伝送しているのに対し、引用発明ではそのようになっていない点。
　
［相違点２］
　本願発明では、第１ウェブサーバが接続されたウェブクライアントに、「使用者の要望があればウェブサーバのホームページを初期ホームページとして設定するための選択ボタンを含む」ホームページ情報を伝送しているのに対し、引用発明では、「「はい」、「いいえ」と読めるボタンを含む」ホームページ情報を伝送しているか否かは明らかでない点。
　
［相違点３］
　本願発明では、選択ボタンは、使用者の要望があれば「前記」ウェブサーバのホームページを初期ホームページとして設定するものであり、かつ、ウェブクライアントの使用者が前記選択ボタンを選択すると、「前記ウェブクライアントに伝送された前記」ウェブサーバのホームページが前記ウェブクライアントの初期ホームページとして設定されるのに対し、引用発明ではそのようになっていない点。
　なおここで、本願発明において初期ホームページとして設定される上記「「前記」ウェブサーバのホームページ」及び上記「「前記ウェブクライアントに伝送された前記」ウェブサーバのホームページ」については、明細書段落［００２６］に記載された「使用者の要望があればいつでも特定ウェブサーバのホームページをウェブクライアントの初期ホームページとして設定し得るようにする選択ボタンを提供する。」との記載も参酌し、「特定ウェブサーバのホームページ」を意味するものと解して引用発明との対比を行った。
　
４　当審の判断
　
［相違点１］について
　ウェブサーバからウェブクライアントに伝送されるホームページにおいて、ウェブクライアントによる訪問を期待して、例えばバナーのような形式により、特定ウェブサーバのホームページ情報をテキストあるいはマルチメディアにより表示することは、本願出願当時、既に周知の事項である。
　そうすると、引用発明において、「無料ウェブスペースＳｐａｃｅｐｏｒｔｓ．ｃｏｍで開設されているサイト」のホームページに特定ウェブサーバのホームページ情報を表示するために、「無料ウェブスペースＳｐａｃｅｐｏｒｔｓ．ｃｏｍで開設されているサイト」を提供するサーバからパソコンに、「特定ウェブサーバのテキスト情報及びマルチメディア情報の少なくとも１つ」を含むホームページ情報を伝送するように構成することは、当業者が適宜採択しうる設計的事項にすぎない。
　
［相違点２］について
　引用例１の上記摘記事項（ハ）には、「このような被害が起こるのは、ページ内に悪意のあるＡｃｔｉｖｅＸやＪａｖａＳｃｒｉｐｔのコードが含まれており」と記載されており、また、上記摘記事項（イ）には「ＡｃｔｉｖｅＸやＪａｖａＳｃｒｉｐｔによってダウンロードの確認画面を表示」すると記載されている。
　これらの記載に接した当業者であれば、引用発明における「「はい」、「いいえ」と読めるボタンを含む小さな画面」を表示するために、ＡｃｔｉｖｅＸやＪａｖａＳｃｒｉｐｔのコードをページ内に含ませようとすることは、容易に着想することができる。
　そうすると、引用発明において、「「はい」、「いいえ」と読めるボタンを含む小さい画面」を表示するためのコードを「無料ウェブスペースＳｐａｃｅｐｏｒｔｓ．ｃｏｍで開設されているサイト」のホームページ情報に含ませて伝送すること、すなわち、「使用者の要望があればウェブサーバのホームページを初期ホームページとして設定するための選択ボタンを含む」ホームページ情報を伝送するように構成することは、当業者であれば容易に想到することができる。
　
［相違点３］について
　一般に、インターネットによる広告活動が増加するに伴って、ウェブサーバのホームページ運営者ができるだけ多くのウェブクライアントに自分のホームページを訪問させようとすることは、普通に知られた課題であり、引用発明における「わけの分からないホームページ」を初期ホームページとして勧める構成に代えて、訪問させたいウェブサーバのホームページを初期ホームページとして勧めるような構成を採用しようとすることは、当業者であれば容易に着想できるものである。
　一方、「４　［相違点１］について」においても述べたように、ウェブサーバからウェブクライアントに伝送されるホームページにおいて、ウェブクライアントによる訪問を期待して、例えばバナーのような形式により、特定ウェブサーバのホームページ情報をテキストあるいはマルチメディアにより表示することは、本願出願当時、既に周知の事項である。
　そうすると、引用発明において、訪問させたいウェブサーバのホームページを初期ホームページとして勧めるような構成を採用しようとするにあたり、より多くのウェブクライアントによる訪問を期待して、ウェブサーバからウェブクライアントに伝送されるホームページに表示された特定ウェブサーバのホームページを選定し、相違点３に係る本願発明の構成とすることは、当業者が適宜採択しうる設計的事項にすぎない。
　
　そして、本願発明の作用効果も、引用発明及び周知の事項から当業者が容易に予測できるものである。
　
　以上により、本願発明は、引用例１に記載された発明及び周知事項に基づいて、当業者が容易に発明することができたものである。
　
　なお、審判請求人は、平成１９年７月１１日付け意見書において、引用例１と対比について、次のように主張している。
　
　「本願は、ホームページ１上の一部構成要素として選択ボタンを提供する場合、出願当初の明細書の第７頁、第１０行〜第１８行、段落［００２６］［００２７］に記載されているように、選択ボタンは、ウェブブラウザの画面上に示されるホームページの一部構成をなして、使用者がホームページの定常的な使用に不便を受けずに、使用中にいつでも使用者が必要に応じてその選択ボタンを選択することにより、特定ウェブサーバのホームページを初期ホームページとして設定することができる利点があります。
　すなわち、 本願の場合は、インターネット上の特定ホームページ（例えば、ポータルサイトなど）に接続した使用者が、当該ホームページで提供する基本的な機能の使用に不便を受けることなくそのままに使用しながら、自分の意思ないし必要に応じて当該ホームページを自分の初期ホームページとして設定できます。
　このような効果は引用文献１のものでは奏することができません。」
　
　本願請求項１には、選択ボタンに関して、「使用者の要望があれば前記ウェブサーバのホームページを初期ホームページとして設定するための選択ボタンを含むホームページ情報を伝送する」、「前記ウェブクライアントの使用者が前記選択ボタンを選択すると、前記ウェブクライアントに伝送された前記ウェブサーバのホームページが前記ウェブクライアントの初期ホームページとして設定される」と記載されているにとどまり、上記主張のように、選択ボタンが「ウェブブラウザの画面上に示されるホームページの一部構成」をなしていることまでは特定されていないと考えられるが、ここでは、仮にこのように解した場合についても検討する。
　
　引用発明では、「「はい」、「いいえ」と読めるボタンを含む小さな画面」を表示しているが、他の表示形態として、例えば特開２００２−１８９７３２号公報（特に、図１２参照）にも開示されているように、選択ボタンが「ウェブブラウザの画面上に示されるホームページの一部構成」をなすように表示することも一般に知られている。
　そうすると、引用発明のように「「はい」、「いいえ」と読めるボタンを含む小さな画面」による表示形態とともに、選択ボタンが「ウェブブラウザの画面上に示されるホームページの一部構成」をなすような表示形態をも併せて吟味することは、当業者の通常の創作能力の発揮にあたる。
　したがって、ホームページ運営者側の要望やユーザ側に与える印象等を勘案しながら、引用発明における「「はい」、「いいえ」と読めるボタンを表示した小さな画面」による表示形態に代えて、選択ボタンが「ウェブブラウザの画面上に示されるホームページの一部構成」をなすような表示形態を採用することは、特段困難なことではない。
　
　以上により、仮に、本願発明における選択ボタンが「ウェブブラウザの画面上に示されるホームページの一部構成」をなしていると解釈したとしても、本願発明は、引用例１に記載された発明及び周知の事項に基づいて、当業者が容易に発明することができたものである。
　
５　むすび
　以上のとおり、本願特許請求の範囲の請求項１に係る発明は、特許法第２９条第２項の規定により特許を受けることができないものである。
　したがって、その余の請求項について論及するまでもなく、本願は、拒絶すべきものである。 
　
　よって、結論のとおり審決する。